(57)【要約】【課題】通信手段の通信を良好に行い得て、撮像画像の外部への送信を良好に行うことができるようにする。【解決手段】実施形態による貯蔵庫用カメラ装置２は、冷蔵庫１（貯蔵庫）内を撮像する撮像部２１１（撮像手段）と、撮像手段により撮像した画像を無線通信により貯蔵庫外に送信する通信モジュール２１３（通信手段）と、撮像手段および通信手段に電源を供給する電池２０８と、を備え、電池２０８は、通信手段を覆わない位置に設けられている。【選択図】図４
2018055107.tif 000002
【特許請求の範囲】
【請求項１】
貯蔵庫内を撮像する撮像手段と、
前記撮像手段により撮像した画像を無線通信により前記貯蔵庫外に送信する通信手段と、
前記撮像手段および前記通信手段に電源を供給する電池と、を備え、
前記電池は、前記通信手段を覆わない位置に設けられている貯蔵庫用カメラ装置。
【請求項２】
前記電池は、前記通信手段が有する平面状に形成されているアンテナの送受信方向を覆わない位置に設けられている請求項１記載の貯蔵庫用カメラ装置。
【請求項３】
さらに、基板を備え、
当該基板は、前記通信手段より貯蔵庫内側に配置されている請求項１又は２記載の貯蔵庫用カメラ装置。
【請求項４】
前記基板には金属製の回路パターンが形成されている請求項３記載の貯蔵庫用カメラ装置。
【請求項５】
前記回路パターンはほぼ基板全面に形成されたグランド用パターンである請求項４記載の貯蔵庫用カメラ装置。
【請求項６】
前記撮像手段と前記基板と前記通信手段とはユニットとして構成され、
前記ユニットは、貯蔵庫が有する扉から貯蔵庫内を撮像可能に取り付けられ、
前記電池は、前記通信手段と前記扉との間の部分とは、異なる位置に設けられている請求項３から５のいずれか一項記載の貯蔵庫用カメラ装置。
【請求項７】
前記ユニットは、前記撮像手段と前記基板と前記通信手段とをケースに収容して構成され、前記ケースは非金属製である請求項６記載の貯蔵庫用カメラ装置。
【請求項８】
前記扉は非金属から構成されている請求項６又は７記載の貯蔵庫用カメラ装置。
【請求項９】
前記扉には前記通信手段と対向する位置に、金属部材が配置されていない請求項６から８のいずれか一項記載の貯蔵庫用カメラ装置。
【請求項１０】
前記ユニットは前記扉の開放端部側に設けられている請求項６から９のいずれか一項記載の貯蔵庫用カメラ装置。
【請求項１１】
前記通信手段と前記基板との距離が、無線電波の波長の１／２の長さの倍数の寸法となる位置には配置されていない請求項３から１０のいずれか一項記載の貯蔵庫用カメラ装置。
【請求項１２】
前記通信手段と前記基板との距離が、無線電波の波長の１／２以下の寸法となる位置に配置されている請求項３から１１のいずれか一項記載の貯蔵庫用カメラ装置。
【請求項１３】
前記通信手段と前記基板との距離が無線電波の波長のほぼ１／４の寸法となる位置に配置されている請求項１２記載の貯蔵庫用カメラ装置。
【請求項１４】
前記請求項１から１３のいずれか一項記載の貯蔵庫用カメラ装置を備えた貯蔵庫。
【発明の詳細な説明】
【技術分野】
【０００１】
本発明の実施形態は、貯蔵庫用カメラ装置及びこれを備えた貯蔵庫に関する。
【背景技術】
【０００２】
従来、貯蔵庫例えば冷蔵庫にカメラ装置を設けること等により、遠隔地からでも例えば冷蔵庫内の食材等の情報を取得可能なものが知られている（例えば、特許文献１参照）。
【先行技術文献】
【特許文献】
【０００３】
【特許文献１】特開２０１２−２２６７４８号公報
【発明の概要】
【発明が解決しようとする課題】
【０００４】
カメラ装置は、貯蔵庫内を撮像する撮像手段と、撮像した画像データを外部に送信する通信手段を備えている。このカメラ装置は、貯蔵庫の内部に設置されるため、通信手段と外部との通信がうまくいかないと撮像画像の送信に支障を来たすおそれがある。
【０００５】
そこで、通信手段の通信を良好に行うことができて、撮像画像の外部への送信を良好に行うことができる貯蔵庫用カメラ装置及びこれを備えた貯蔵庫を提供する。
【課題を解決するための手段】
【０００６】
実施形態による貯蔵庫用カメラ装置は、貯蔵庫内を撮像する撮像手段と、撮像手段により撮像した画像を無線通信により貯蔵庫外に送信する通信手段と、撮像手段および通信手段に電源を供給する電池と、を備え、電池は前記通信手段を覆わない位置に設けられている。
【図面の簡単な説明】
【０００７】
【図１】第１実施形態のカメラ装置を用いた室内撮像システムを模式的に示す図
【図２】カメラ装置の外観を示す斜視図
【図３】カメラ装置の分解斜視図
【図４】カメラ装置の縦断側面図
【図５】カメラ装置の正面図
【図６】カメラ装置の背面図
【図７】本体ケース部の前面部分の斜視図
【図８】スライドスイッチ部分の縦断面図
【図９】補助基板の斜視図
【図１０】冷蔵庫及びカメラ装置の電気的構成を示すブロック図
【図１１】冷蔵庫の一部扉を開放した状態の斜視図
【図１２】右扉及びホルダケース部分の縦断面図
【図１３】右扉部分の平面図
【図１４】野菜室部分の破断側面図
【図１５】冷蔵庫の正面図
【図１６】撮像画像の一例を示す図
【図１７】ホルダケースに配置状態のカメラ装置部分の平面図
【図１８】同正面図
【図１９】室内照明灯の発光特性及び照度センサの受光特性を示す図
【図２０】冷蔵庫の制御内容を示すフローチャート
【図２１】カメラ装置の制御内容を示すフローチャート
【図２２】第２実施形態を示す図１１相当図
【発明を実施するための形態】
【０００８】
以下、第１実施形態について図１から図２１を参照しながら説明する。
図１に示すように、実施形態のカメラ装置２（貯蔵庫用カメラ装置）は、室内撮像システム１００における家電製品としての冷蔵庫（貯蔵庫）１の内部に配置される。
【０００９】
まず、前記室内撮像システム１００について説明する。この室内撮像システム１００は、冷蔵庫１内を撮像するための前記カメラ装置２、前記冷蔵庫１側との間で通信を行うためのアクセスポイント３、操作端末４等により構成されている。このうち、アクセスポイント３は、外部ネットワーク（広域通信網や携帯電話網）５に接続しており、外部ネットワーク５を介して遠隔地の操作端末４やサーバ６等と冷蔵庫１側との間を通信可能に接続している。本実施形態では、冷蔵庫１とアクセスポイント３との間、アクセスポイント３と操作端末４との間、及びカメラ装置２とアクセスポイント３との間は、近距離無線通信例えばＢｌｕｅｔｏｏｔｈ（登録商標）による無線通信にて通信が行われる。
【００１０】
操作端末４は、カメラ装置２に室内を撮像させるための撮像指示を入力するものであり、タブレット型のパソコンや、いわゆるスマートフォン（高機能携帯電話）を想定している。この操作端末４は、住宅７内に位置している場合には、アクセスポイント３との間で近距離無線方式により通信可能に接続される。また、操作端末４は、住宅７外に位置している場合には、広域通信により外部ネットワーク５を介してアクセスポイント３との間で通信可能に接続される。また、操作端末４は、住宅７内からであっても広域通信により外部ネットワーク５を介してアクセスポイント３に接続することが可能であるとともに、住宅７内においては、アクセスポイント３を介さずに冷蔵庫１側と直接的に通信可能でもある。
【００１１】
サーバ６は、周知のコンピュータシステムにより構成されており、冷蔵庫１にアクセスするための情報（例えばＩＰアドレス等）等を記憶しているとともに、本実施形態では、カメラ装置２により撮像された撮像データを記憶する。なお、図１では冷蔵庫１のみを図示しているが、図示しないエアコン等、他の家電製品もネットワーク化されている。
【００１２】
このように家電製品をネットワーク化することにより、各家電製品の消費電力をユーザに目に見える形で提供する見える化、夏場の昼間等の電力需要が大きくなる時間帯における電力消費を低減するピークシフト、一般家庭の定格を超えるような電力の瞬間的な使用を回避するピークカット等の電力コントロールや、家電製品の故障診断等、使い勝手や快適性あるいは利便性を提供するためのシステムを提供することが可能となる。また、カメラ装置２を例えば冷蔵室内に設置することにより、冷蔵庫１の室内の様子（物品の貯蔵状態等）を確認すること等も可能となる。そして、これら各種の情報や撮像データ等をサーバ６に記憶することで、遠隔地であっても外部ネットワーク５等を介して操作端末４等によりそれらの情報を参照することが可能となる。
【００１３】
次に、カメラ装置２について説明する。
このカメラ装置２は、図２〜図６に示すように、外殻としてケース２００を有する。このケース２００は、一面が開口する矩形箱状の本体ケース部（第１ケース部）２０１と、一面が開口する浅底な矩形箱状の蓋ケース部（第２ケース部）２０２とを有する。前記本体ケース部２０１及び蓋ケース部２０２は合成樹脂製（非金属製）である。このケース２００は本体ケース部２０１の開口部と蓋ケース部２０２の開口部とをねじ２００ａにより接合して構成され、全体として直方体をなす。本体ケース部２０１の開口部端面にはパッキン溝２０１ａが形成されており、このパッキン溝２０１ａに防水部材としての枠状のパッキン２０３が嵌合されている。このパッキン２０３により本体ケース部２０１と蓋ケース部２０２とが水密に接合されている。上記パッキン２０３はシリコーンゴムから構成されている。
【００１４】
本体ケース部２０１においては開口部と反対側の面部（カメラ装置２としては正面であり、図３、図４において左となる面部）が一面部（撮像方向面部）２０１Ｉに相当する。この一面部２０１Ｉは平坦であり、この一面部２０１Ｉには、中央に円形の撮像用窓部２０１ｂが形成されている。さらにこの撮像用窓部２０１ｂを基準にして上下の等距離部位に撮像ライト用窓部２０１ｃ、２０１ｃが形成されている。さらに、この一面部２０１Ｉには、照度センサ用窓部２０１ｄが形成されている。
【００１５】
この一面部２０１Ｉは、図７に示すように、当該一面部２０１Ｉ周縁部と前記撮像用窓部２０１ｂ周縁部とが同一高さで若干突出している。
この一面部２０１Ｉには、これを覆うシート状のカバー部材２０４が図示しない両面テープにより接着されて装着されている。但し、このカバー部材２０４には前記撮像用窓部２０１ｂを覆わないための孔部２０４ａが形成されており、つまり、このカバー部材２０４は撮像用窓部２０１ｂと対向する部位に当該撮像用窓部２０１ｂを外部に臨ませる孔部２０４ａが形成されている以外は無孔状である。よって、前記撮像用窓部２０１ｂは覆われていない。このカバー部材２０４は透明な材料から構成されており、このカバー部材２０４において、接着される側の面に予め意匠印刷（図示せず）が施されている。この意匠印刷は、前記撮像ライト用窓部２０１ｃ、２０１ｃ、照度センサ用窓部２０１ｄ部分には形成されておらず、透明部２０４ｂ、２０４ｂ、２０４ｃが形成されている。
【００１６】
又、本体ケース部２０１における上面部２０１Ｊにはスイッチ用孔部２０１ｅ、２０１ｅが形成されている。上面部２０１Ｊはシート状のスイッチカバー２０５が例えば図示しない両面テープで接着されている。このスイッチカバー２０５によりスイッチ用孔部２０１ｅ、２０１ｅが閉鎖されている。このスイッチカバー２０５において接着される側の面に予め意匠印刷２０５ａ、２０５ｂが施されている。但しこの意匠印刷２０５ａ、２０５ｂ部分は前記スイッチ用孔部２０１ｅ、２０１ｅに対応しており、この部分には両面テープは接着されていない。このスイッチカバー２０５は上記意匠印刷２０５ａ、２０５ｂ部分で、スイッチ操作のために可撓変形可能となっている。
【００１７】
又、本体ケース部２０１における右壁部２０１Ｍには、後述するが当該右壁部２０１Ｍ内面近傍に位置する前記リードスイッチ２０６ｃに対応して、図８に示すように、浅底で縦長な操作子用凹部２０１ｆが形成されている。この操作子用凹部２０１ｆには操作子配置用のスペースを形成するスライドカバー２０１ｇが係合により取り付けられている。このスライドカバー２０１ｇには長孔２０１ｈが形成されている。操作子用凹部２０１ｆとスライドカバー２０１ｇとの間のスペースには、操作子２０６ａがこの場合上下方向にスライド可能に配置されている。この操作子２０６ａには磁石２０６ｂが設けられている。又、この操作子２０６ａに突設されたノブ２０６ｄは前記長孔２０１ｈに位置する。この操作子２０６ａと磁石２０６ｂと後述するリードスイッチ２０６ｃとでスライドスイッチ２０６が構成されている。このスライドスイッチ２０６は電源をオンオフするための電源スイッチに相当する。このスライドスイッチ２０６は、操作子２０６ａが下方向に操作されることによってリードスイッチ２０６ｃがオンする。つまりスライドスイッチ２０６がスイッチオンし、電源がオンする。なお、スライドカバー２０１ｇにおいて下部には「ＯＮ」の文字が付設され、又、上部には「ＯＦＦ」の文字が付設されている。
【００１８】
一方、前記蓋ケース部２０２の下部には、電池収容部２０７が本体ケース部２０１方向へ突出形成されている。この電池収容部２０７には、電池出し入れ用の開口部２０７ａを一端部（後端部）に有する。この開口部２０７ａから電池２０８が挿入配置されている。この電池２０８はリチウム電池であり、又一次電池である。電池収容部２０７の前記開口部２０７ａは、電池蓋（蓋）２０９によって開閉可能に閉塞される。この電池蓋２０９は、下縁部が前記外側開口部の下部に係合され、上部がねじ２０９ａによって前記開口部２０７ａ縁部の上部にねじ止めされる。
【００１９】
前記電池２０８はカメラ装置２の電源である。このため、カメラ装置２は、電源ケーブル等が不要となり、冷蔵庫１内の任意の場所に設置することが可能となる。又、前記電池収容部２０７の開口部２０７ａと前記電池蓋２０９との間には防水手段としてのシリコーンゴムからなるパッキン２１０が介在されている。前記ケース２００の内部には、前記電池２０８の上方に位置して、撮像手段としての撮像部２１１、基板２１２、通信手段としての通信モジュール２１３が収容配置されている。
【００２０】
前記撮像部２１１は、外殻としてのレンズホルダ２１１ａと、レンズとしての外側レンズ２１１ｂと、レンズ組み立て２１１ｃと、撮像素子２１１ｄと、撮像基板２１１ｅとを備える。前記外側レンズ２１１ｂとレンズ組み立て２１１ｃは広角レンズを含んで構成されている。当該広角レンズは概ね１２０度程度の視野角を有する。比較例として一般的なＷｅｂカメラの場合、その視野角は概ね５５度程度である。
【００２１】
レンズホルダ２１１ａは外形が円形状をなしており、このレンズホルダ２１１ａに外側レンズ２１１ｂとレンズ組み立て２１１ｃとが保持されている。前記撮像素子２１１ｄはＣＣＤやＣＭＯＳから構成されており、前記撮像基板２１１ｅに実装されている。この撮像基板２１１ｅはレンズホルダ２１１ａの後端部（図４でいうと右側の端部）に取り付けられている。
【００２２】
前記レンズホルダ２１１ａは前記撮像用窓部２０１ｂに嵌合されている。この嵌合部には防水手段としてのＯリング２１１ｆが介在されている。前記撮像部２１１の最外面（外側レンズ２１１ｂの最外面）は、図４に示すように、ケース２００における一面部２０１Ｉの最外面（撮像用窓部２０１ｂの周縁部外面）より凹んだ位置にある。又、前記撮像基板２１１ｅにはフレキシブルケーブル２１１ｇの一端部を接続する接続端子２１１ｈが実装されている。このフレキシブルケーブル２１１ｇは撮像基板２１１ｅと後述の主基板２１２Ａとを接続している。
【００２３】
前記基板２１２は主基板２１２Ａと補助基板２１２Ｂとを有して構成されている。補助基板２１２Ｂには、前記撮像部２１１を逃げるための孔部２１２Ｂａが形成されている。そして、この補助基板２１２Ｂは、ケース２００における前記一面部２０１Ｉの裏側にリブを介して当該一面部２０１Ｉ内面と離間状態に取り付けられている。この場合、撮像基板２１１ｅ及びフレキシブルケーブル２１１ｇはこの補助基板２１２Ｂよりも後方に位置する。
【００２４】
前記補助基板２１２Ｂの後面下部には電池接続端子２１２Ｂｂ、２１２Ｂｂが設けられており、この電池接続端子２１２Ｂｂ、２１２Ｂｂに前記電池２０８のプラス端子及びマイナス端子が接続される。前記補助基板２１２Ｂの前面部には、図４及び図９に示すように、撮像用照明手段に相当する撮像ライト２１４、２１４が実装されていると共に、照度センサ２１５が実装されている。前記撮像ライト２１４、２１４は前記補助基板２１２Ｂの取付状態において、前記撮像ライト用窓部２０１ｃ、２０１ｃと対向又は嵌入する。又、照度センサ２１５は照度センサ用窓部２０１ｄと対向する。
【００２５】
さらに前記補助基板２１２Ｂの後面の端部にはリードスイッチ２０６ｃが実装されており、このリードスイッチ２０６ｃは、図８に示すように、一壁部としての右壁部２０１Ｍの内面近傍に位置する。リードスイッチ２０６ｃと操作子２０６ａとが前記右壁部２０１Ｍの操作子用凹部２０１ｆの壁部で離隔される構成を防水手段としている。
【００２６】
さらに主基板２１２Ａ及び補助基板２１２Ｂには、複数の電子部品を電気的に接続するための金属製の回路パターン（図示せず）が形成されている。又、この補助基板２１２Ｂの前面には、図９に示すように、そのほぼ全面に金属製の回路パターンであるグランド用パターン２１２Ｂｃが形成されている。このグランドパターン２１２Ｂｃはケース２００外部からのノイズ遮蔽用の電気的シールドとして作用する。
【００２７】
又、この補助基板２１２Ｂにはフレキシブルケーブル２１２Ｂｄを接続するための接続端子２１２Ｂｅが実装されている。このフレキシブルケーブル２１２Ｂｄは補助基板２１２Ｂと主基板２１２Ａとを接続している。
【００２８】
前記主基板２１２Ａは、前記補助基板２１２Ｂの後方部に位置してねじ止めにより本体ケース部２０１に取り付けられている。この主基板２１２Ａにはこのカメラ装置２の主たる制御を行うためのカメラ側制御部２２０（後述する）としてのマイクロコンピュータなどを実装している。さらに、この主基板２１２Ａの上部には、スイッチとして、設定開始や設定確定あるいは設定終了などのための設定スイッチ２１６、各種モードを指定あるいは選択するためのモードスイッチ２１7を実装している。
【００２９】
この設定スイッチ２１６、モードスイッチ２１７はタクトスイッチ（プッシュスイッチ）から構成されており、夫々、操作子２１６ａ、２１７ａを有する。各スイッチ２１６、２１７は各操作子２１６ａ、２１７ａが上から下へ押圧操作されることによりスイッチ動作し、操作後は元状態に戻る。さらに各操作子２１６ａ、２１７ａは、図４に示すように、前記各スイッチ用孔部２０１ｅ、２０１ｅ内に配置されており、前記スイッチカバー２０５の意匠印刷２０５ａ、２０５ｂ部分が押圧されると、当該部分が可撓変形して前記各操作子２１６ａ、２１７ａが押圧操作される。この意匠印刷２０５ａ、２０５ｂの部分は、前記設定スイッチ２１６、モードスイッチ２１７の操作部２１６ｂ、２１７ｂとして機能する（設定スイッチ２１６、モードスイッチ２１７の一部を構成する）。
【００３０】
さらに、この主基板２１２Ａには加速度センサ２１８、温度センサ２１９（図１０参照）が実装されている。加速度センサ２１８は、カメラ装置２の設置姿勢（縦置き、横置き、一面部２０１Ｉを下向き、一面部２０１Ｉを上向き）を検出する。温度センサ２１９は、カメラ装置２が設置された場所の温度を検知する。カメラ装置２では、この温度センサ２１９による検知温度が冷蔵室温度帯の場合には冷蔵室にカメラ装置２が設置されたと判断し、前記検知温度が冷凍室温度帯の場合には冷凍室にカメラ装置２が設置されたと判断する。この場合、冷凍室に設置されていると判断した場合、故障等の虞が懸念されるため、冷蔵庫１側にその旨を送信して冷蔵庫１の操作パネル２２等にてユーザーに報知する。
【００３１】
さらにこの主基板２１２Ａには、フレキシブルケーブル２１２Ａａを接続するための接続端子２１２Ａｂが実装されている。このフレキシブルケーブル２１２Ａａは、主基板２１２Ａと通信モジュール２１３とを接続している。前記通信モジュール２１３は、前記ケース２００の内部に、基板２１２より後方の位置で前記本体ケース部２０１にねじ止めにより取り付けられている。この通信モジュール２１３は、モジュールケース２１３ａの内部に、通信制御のための回路を実装したモジュール基板２１３ｂなどを有して構成されている。又、このモジュール基板２１３ｂにはアンテナ２１３ｃがパターンにより形成されている。このアンテナ２１３ｃはケース２００において前記一面部２０１Ｉと反対側の面部である他面部２０２Ｔの側に設けられている。
【００３２】
通信モジュール２１３は、撮像部２１１で撮像した庫内の撮像データを、アクセスポイント３を介して操作端末４やサーバ６等に送信する。なお、サーバ６に送信するのは、撮像データをサーバ６に記憶させるためである。ここで、撮像データとは、室内の画像を含むデータであり、例えばビットマップ形式やＪＰＥＧ形式あるいはＭＰＥＧ形式などの周知のフォーマットのデータ（静止画、動画）、そのデータを圧縮や暗号化あるいは画像処理することにより変換したデータ等、冷蔵庫１内の様子を操作端末４等で確認できるデータであれば、どのような形式のものであってもよい。
【００３３】
前記カメラ装置２において、撮像部２１１と、基板２１２と、通信モジュール２１３と、電池２０８はケース２００によりユニット（一体物）２Ａとして構成されている。そして、電池２０８は通信モジュール２１３を覆わない位置に設けられている。つまり、通信モジュール２１３が有するアンテナ２１３ｃの良好な送受信方向（矢印Ａ方向）を覆わない位置に設けられている。
【００３４】
前記通信モジュール２１３のアンテナ２１３ｃと前記基板２１２との距離Ｈ１（図４参照）は、無線電波の波長λの１／２以下の寸法例えば１０ｍｍに設定されている。この場合、無線電波の周波数を２．５ＧＨｚ体とすると、波長λが約１２０ｍｍであり、当該波長λの１／２（６０ｍｍ）以下の寸法に設定されている。
【００３５】
ここで、カメラ装置２においては、図４に示すように、質量が大きい電池２０８がケース２００の下部に位置することから、ケース２００の中心（体積中心）Ｃに対してカメラ装置２の重心Ｇが異なる位置、この場合下方に存在する。
【００３６】
又、前記ケース２００において前記電池２０８と反対側の外面である上壁部２０１Ｊの外面には、前記設定スイッチ２１６、モードスイッチ２１７の一部である操作部２１６ｂ、２１７ｂ（防止手段）が存在する。
【００３７】
前記カメラ装置２の電気的構成について図１０を参照して説明する。カメラ側制御部２２０は、前記主基板２１２Ａが有する既述のマイクロコンピュータにより構成されている。このカメラ側制御部２２０は、ＣＰＵ２２０ａ、ＲＯＭ２２０ｂ、ＲＡＭ２２０ｃ及び時計部２２０ｄ、情報記憶手段としての不揮発性メモリ２２０ｅ等を有し、カメラ装置２全体を制御する。具体的には、カメラ側制御部２２０は、撮像部２１１による撮像タイミングの制御、撮像する際の撮像環境を整える制御（撮像ライト２１４の点灯制御）、通信モジュール２１３による撮像データの送信、照度センサ２１５による後述する撮像指示の受信（受け付け）等のための制御等を行っている。また、カメラ側制御部２２０は、本実施形態では、撮像した画像の補正等を行う画像処理も行っている。
【００３８】
前記時計部２２０ｄは、リアルタイムクロックモジュールから構成されており、時刻・カレンダー機能を有し、リアルタイムの時間（時刻、月日、曜日）を計測できる。
カメラ側制御部２２０に接続されている照度センサ２１５は、いわゆる照度センサであり、カメラ装置２の周辺の照度を検出する。より詳細には、照度センサ２１５は、所定の波長帯域の光エネルギー（本実施形態では、後述する室内照明灯１３０、１３２から発せられる光エネルギー）を検出する。照度センサ２１５で検出された光エネルギーは、電気信号に変換されてカメラ側制御部２２０に出力される。
【００３９】
本実施形態の場合、ユーザからの撮像指示の最終的な信号形態は、所定のパターンで発せられた光エネルギー（後述の室内照明灯１３０、１３２の所定パターンの点滅）により示される構成となっており、カメラ側制御部２２０は、照度センサ２１５により上記所定パターンの点滅を検出したときに、撮像指示であると判断する。
【００４０】
このような構成のカメラ装置２は、スライドスイッチ２０６がオンされた状態（電源オン状態）で使用され、常には通常動作モードよりも相対的に消費電力が少ない低電力モード（スリープ制御モード）にて待機しており、撮像指示を受信すると、通常動作モードに復帰して庫内を撮像する。
【００４１】
一方、前記カメラ装置２が設置される冷蔵庫１は、図１１に示すように、本体１０２の上部から順に、食材を貯蔵するための貯蔵庫である冷蔵室１０３、野菜室１０４、製氷室１０５、上部冷凍室１０６、及び下部冷凍室１０７が設けられている。冷蔵室１０３及び野菜室１０４と、製氷室１０５及び上部冷凍室１０６との間は、図示しない断熱仕切壁により仕切られている。冷蔵室１０３は、ヒンジ１０２ａ、１０２ｂによって回転可能に支持されたいわゆる両開き式（回転式）の左扉１０３ａ及び右扉１０３ｂによって開閉される。
【００４２】
野菜室１０４、製氷室１０５、上部冷凍室１０６及び下部冷凍室１０７は、引き出し式の扉１０４ａ、扉１０５ａ、扉１０６ａ及び扉１０７ａによってそれぞれ開閉されるようになっている。この場合右扉１０３ｂの長さ（ヒンジ１０２ｂの回転中心から開放端までの長さ）が左扉１０３ａの長さより長く形成されている。
【００４３】
各扉には、その開閉状態を検知するための扉センサ１２４（図１０参照）が設けられている。なお、図１１に示す冷蔵庫１の構成は一例であり、各貯蔵庫の配置順が異なっていたり、例えば上部冷凍室１０６が冷蔵と冷凍とを切り替え可能な切替室であるような構成でもよい。
【００４４】
冷蔵室１０３の左扉１０３ａには、上段から順にドアポケット１０８ａ、ドアポケット１０９ａ、ドアポケット１１０ａが設けられており、右扉１０３ｂには、上段から順にドアポケット１０８ｂ、ドアポケット１０９ｂ、ドアポケット１１０ｂが設けられている。また、冷蔵室１０３内には、例えばガラス等の透明性材料で形成されている複数の棚板１１１が設けられているとともに、最下段には、例えば卵室やチルド室のような特定目的室１１２が配置されている。また、冷蔵室１０３の内部には照明手段としての室内照明灯１３０、１３２（図１０参照）が設けられている。室内照明灯１３０は天井に設けられ、室内照明灯１３２は図１１では図示しないが側面に設けられている。このうち、室内照明灯１３０は庫内の上部側、室内照明灯１３２は庫内の中央部や下部等、庫内の特定の位置を照らすために設けられている。
【００４５】
冷蔵室１０３の左扉１０３ａ及び右扉１０３ｂは、大きさは異なるが、材料的にはほぼ同じ構成である。右扉１０３ｂを代表して、構成を説明する。右扉１０３ｂは、図１２に示すように、その前面が絶縁性のガラス材料で形成されたガラス板１０３ｂ１で構成され、後面（内面）が非金属の樹脂製の内板１１４及び縦板１１５（図１１参照）で構成されている。そして、その内部には断熱材であるウレタン１０３ｂ２が充填剤として充填されている。つまり、左扉１０３ａ及び右扉１０３ｂの前面側は、電波を透過させる非金属製材料であるガラス板１０３ｂ１により構成されている。上記したドアポケット１０８ａ〜１１０ａ、１０８ｂ〜１１０ｂは、この内板１１４に設けられている。また、左扉１０３ａには、図１１及び図１３に示すように、右扉１０３ｂとの隙間Ｓを埋めるための回動式の非金属材料例えば合成樹脂である縦仕切り１１７が設けられている。なお、野菜室１０４の扉１０４ａ等も、右扉１０３ｂと同様にその前面がガラス板で覆われており、内部にはウレタンが断熱材として充填されている構成となっている。
【００４６】
前記野菜室１０４内には、図１４に示すように、上下二つの野菜容器１０４ｂ、１０４ｃを備えている。上側の野菜容器１０４ｂは透明な材料（合成樹脂など）によって構成されている。なお、下側の野菜容器１０４ｃも透明な材料で構成しても良い。
【００４７】
右扉１０３ｂにおいて上下の中央に位置する中段のドアポケット１０９ｂには、図１２に示すように、前記カメラ装置２がホルダケース１５０を介して取り付けられている（配置される）。このカメラ装置２は、図１１及び図１３に示すように、右扉１０３ｂの開放端側に設けられている。カメラ装置２はその撮像部２１１が庫内を向く（一面部２０１Ｉが庫内を向く）ように配置されている。カメラ装置２が右扉１０３ｂに配置された状態では、スライドスイッチ２０６がオンされて電源オンとなっている（使用状態となっている）。
【００４８】
この場合、右扉１０３ｂの長さが左扉１０３ａの長さより長く形成されているため、このカメラ装置２は図１５に示すように冷蔵室１０３の上下左右のほぼ中央に位置している。特に、このカメラ装置２は、右扉１０３ａのうちヒンジ１０２ｂ側の端から、左扉１０３ａの長さよりも長い当該右扉１０３ａ開放端側に位置している。右扉１０３ｂが閉鎖された状態において、カメラ装置２の撮像部２１１の撮像範囲は、撮像部２１１が扉１０３ａ、１０３ｂからなる扉の中央に位置した状態で、冷蔵室１０３の左右方向の奥行きの隅（図１１に示すポイントＰ１、Ｐ２）、又は上下方向の奥行きの隅（図１１に示すポイントＰ３、Ｐ４）を含む範囲である。なお、図１６には、カメラ装置２で撮像した画像の一例を示している。又、撮像範囲としては、図１１に示すポイントＰ１１〜Ｐ１８を含むようにしても良い。
【００４９】
前記ホルダケース１５０は右扉１０３ｂに配置されており、図１２、図１７及び図１８に示すように、おおむね上部開放形の箱状をなす。当該ホルダケース１５０の庫内側の壁部１５０ａの高さ寸法Ｈｈは、前記カメラ装置２のケース２００の高さの半分よりも長く構成されている。
【００５０】
カメラ装置２（ユニット２Ａ）は、図１２の配置状態において、撮像部２１１が貯蔵庫内である冷蔵室１０３内に向けて配置されている。又、基板２１２は撮像部２１１より冷蔵庫１外側に配置され、且つ通信手段である通信モジュール２１３は前記基板２１２より冷蔵庫１外側に配置されている。
【００５１】
又、この場合、右扉１０３ｂには、通信モジュール２１３と対向する位置には、金属部材（補強用金属部品や、金属蒸着を用いた真空断熱パネル）が無い構成となっている。
この図１２において、カメラ装置２は、冷蔵庫１が有する扉（右扉１０３ｂ）から冷蔵庫１内を撮像可能に取り付けられている。又、前記電池２０８は、通信モジュール２１３と前記右扉１０３ｂとの間の部分Ｅとは、異なる位置にある。
【００５２】
前記冷蔵庫１は、図１０に示す庫側制御部１２１を有している。この庫側制御部１２１は、ＣＰＵ１２１ａ、ＲＯＭ１２１ｂ、ＲＡＭ１２１ｃ、タイマ１２１ｄ等を有するマイクロコンピュータで構成されており、冷蔵庫１全体を制御する。具体的には、庫側制御部１２１は、例えば操作パネル１２２から設定された運転状態となるように、温度センサ１２３で検出した庫内の温度や扉センサ１２４で検出した扉の開閉状態等に基づいて、周知の冷凍サイクルを構成する冷蔵用冷却機構１２５や冷凍用冷却機構１２６の運転状態を制御する。
【００５３】
操作パネル１２２には、パネル表示器１２７、パネルＬＥＤ１２８、パネルブザー１２９が設けられている。パネル表示器１２７は、設定値等を表示する。パネルＬＥＤ１２８は、操作スイッチや運転状態等を点灯させるために設けられている。パネルブザー１２９は、圧電ブザー等で構成され、操作に応じて音声（音エネルギー）を発することで、操作内容を報知する。又、操作パネル１２２は、通信の阻害の可能性があるため、通信部たる通信モジュール２１３と対向しない位置に設けると良い。例えば操作パネル１２２は、通信モジュール２１３が存在する扉には設けず、通信モジュール２１３が存在しない扉に設けると良い。
【００５４】
室内照明灯１３０、１３２は、ＬＥＤから構成され、扉が開放された際に点灯する。この室内照明灯１３０、１３２は、信号出力部も兼用しており、庫側制御部１２１からの制御により所定パターンで点滅可能となっている。この所定パターンの点滅は対カメラ装置２用の撮像指令を示す信号である。この所定パターンの点滅による撮像指令は前記照度センサ２１５により受信（受光）される。この場合、照度センサ２１５の受光特性は室内照明灯１３０、１３２のＬＥＤ発光特性と相対的にほぼ同じに設定している。図１９に示す波長領域λαの間でほぼ同じとなる領域を採用している。
【００５５】
送風機１３１は、通常の動作においては冷蔵庫１内の冷気を循環させるために設けられている。
通信アダプタ１３４は、アクセスポイント３や室内の操作端末４等との間で通信を行うものであり、本実施形態では、冷蔵庫１に着脱可能に設けられている。なお、図１には冷蔵庫１だけを図示しているが、通信アダプタ１３４は、エアコン等の他の家電製品にも設けられ、家電製品をネットワーク化している。また、通信アダプタ１３４は、アクセスポイント３を介すること無く、カメラ装置２との間で直接的に通信を行うことも可能な構成となっている。この通信アダプタ１３４は、上記したように見える化等にも用いられていることから、冷蔵庫１が動作している状態では基本的に常時作動している。
【００５６】
ここで、前記操作端末４が、遠隔地でユーザーにより操作されて、撮像指令を出力すると、この撮像指令は外部ネットワーク５及びアクセスポイント３を介して冷蔵庫１に送信される。
【００５７】
この撮像指令を受けた冷蔵庫１では、図２０に示すステップＲ１で撮像指令の受信有りと判断する。そして、室内照明灯１３０及び１３２を所定のパターンで点滅させることで、撮像指令を光信号の形態でカメラ装置２に送信する（ステップＲ２）。
【００５８】
カメラ装置２の動作について説明する。
カメラ装置２のスライドスイッチ２０６をオンすると、電源がオンされ、カメラ側制御部２２０は図２１の制御を行う。まず、ユーザーによる初期設定を実行する（ステップＳ１）。この初期設定では、カメラピント設定や、自動撮像タイミング（例えば、毎日における撮像時刻など）の設定を行う。この後、スリープ制御へ移行する（ステップＳ２、スリープ制御手段）。このスリープ制御状態では、室内照明灯１３０あるいは１３２から撮像指令を受信する機能と、時計部２２０ｄが計測する時間が設定撮像タイミングとなったか否かの判断機能とを作動させている以外は、機能停止状態にある。従って、電源である電池２０８の電池消費量を抑える。この場合、通信モジュール２１３の動作も停止している。この理由は、通信モジュール２１３の動作継続は、電池２０８の消費速度が速くなるためである。これに対して、前述した室内照明灯１３０あるいは１３２から撮像指令を受信する機能は、電池２０８の消費速度が遅く、より消費量を抑えることができる。
【００５９】
このスリープ制御状態において、室内照明灯１３０あるいは１３２から撮像指令を受信するか（ステップＳ３）、時計部２２０ｄが計測している時間が設定された撮像タイミングとなるか（ステップＳ４）すれば、通常動作モードに復帰する（ステップＳ５）。そして室内を撮像し（ステップＳ６）、撮像データを送信する（ステップＳ７）。
【００６０】
この場合、この撮像データはサーバ６に送信されて保存され、サーバ６から操作端末４に送信される。
上記本実施形態によるカメラ装置２は、図４、図１２に示したように、冷蔵室１内を撮像する撮像部２１１と、この撮像部２１１により撮像した画像を冷蔵庫１外に送信する通信手段たる通信モジュール２１３とを備え、この通信モジュール２１３が、撮像部２１１よりも冷蔵庫１外側に配置される構成とした。この実施形態によれば、通信モジュール２１３が、撮像部２１１よりも冷蔵庫１内側に配置される場合に比して、通信モジュール２１３による冷蔵庫１外部への通信（撮像画像送信）にとって遮蔽物を少なくでき、外部への通信が良好となる。又、カメラ装置２は、扉の内部の発泡断熱材内に埋め込んでも良い。その場合、撮像部２１１を扉の内板から庫内に臨ませると良い。
【００６１】
又、本実施形態のカメラ装置２においては、基板２１２を備え、当該基板２１２を、通信モジュール２１３より冷蔵庫１内側に配置した。この実施形態によれば、通信モジュール２１３による冷蔵庫１外部への通信に対して基板２１２が遮蔽物となることはなく、外部への通信が良好となる。
【００６２】
ここで、前記基板２１２の主基板２１２Ａ及び補助基板２１２Ｂには金属製の回路パターンが形成されていることで、通信モジュール２１３による通信が阻害されることが懸念されるが、上述したように、当該基板２１２を、通信モジュール２１３より冷蔵庫１内側に配置したから、前記金属製の回路パターンが、通信モジュール２１３による冷蔵庫１外部への通信を阻害することがない。
【００６３】
又、この場合、前記回路パターンが補助基板２１２Ｂのほぼ全面にグランド用パターン２１２Ｂｃを形成したことで、ケース２００内部に対する電気的シールド性の向上を図っている。ただし、この電気的シールドは、電波に対して強い遮蔽性を示す。しかし、本実施形態によれば、前述したように、当該基板２１２を、通信モジュール２１３より冷蔵庫１内側に配置したから、前記グランド用パターン２１２Ｂｃが、通信モジュール２１３による冷蔵庫１外部への通信を阻害することがない。
【００６４】
又、本実施形態においては、撮像部２１１と通信モジュール２１３とをユニット２Ａとして構成し、ユニット２Ａには電池２０８を設け、当該電池２０８を、通信モジュール２１３を覆わない位置に設けた。この実施形態によれば、ユニット２Ａ内に金属製部材を有する電池２０８を備えるが、当該電池２０８が通信モジュール２１３の通信を阻害することを防止できる。
【００６５】
又、本実施形態においては、図１２に示すように、前記ユニット２Ａは、冷蔵庫１が有する扉（右扉１０３ｂ）から冷蔵庫１内を撮像可能に取り付けられ、前記電池２０８が、通信モジュール２１３と前記右扉１０３ｂとの間の部分Ｅとは、異なる位置に設けた。この実施形態によれば、通信モジュール２１３において冷蔵庫１外への通信方向にある部分Ｅに対して、電池２０８が異なる位置にあるから、通信モジュール２１３による外部への通信を電池２０８が阻害することがない。
【００６６】
又、本実施形態においては、ユニット２Ａが、撮像部２１１と基板２１２と通信モジュールとをケース２００に収容して構成されており、この場合ケース２００を非金属製とした。この実施形態によれば、通信モジュール２１３がケース２００内にあっても通信性能が低下しない。
【００６７】
又、本実施形態においては、左扉１０３ａ及び右扉１０３ｂをガラスなどの非金属から構成した。これによれば、カメラ装置２を左扉１０３ａ又は右扉１０３ｂに配置する場合に、通信モジュール２１３の通信性能が扉によって阻害されることを少なくできる。
【００６８】
又、本実施形態においては、右側扉１０３ｂには、通信モジュール２１３と対向する位置に金属部材（補強用金属部品や、金属蒸着を用いた真空断熱パネル）が無い構成となっている。この実施形態によれば、通信モジュール２１３の外部への通信を良好とすることができる。又、上記補強用金属部品は、ガラス製の扉前板の裏面に取り付けられるガラスの補強を目的とした平板状の板部品であって、通信モジュール２１３と対向しない位置、例えば通信モジュール２１３が取り付けられていない扉や、通信モジュール２１３の周囲に取り付けても良い。上記真空断熱パネルを上記補強用金属部品同様の位置に設ければ、通信を阻害することなく断熱性が向上する。この真空断熱パネルは、金属蒸着されたフィルムで構成された袋体の内部にガラスウールなどの繊維体が収容され、この袋体を真空引きした構成である。
【００６９】
又、本実施形態においては、ユニット２Ａが右扉１０３ｂの開放端部側に設けられている。この実施形態によれば、ユニット２Ａが右扉１０３ｂの開放端部側に位置することで、図１３に示すように、右扉１０３ｂと左扉１０３ａとの間の隙間Ｓ（冷蔵庫１外）に近い位置となり、通信モジュール２１３による通信が良好になされる。
【００７０】
又、本実施形態においては、図４に示したように、前記通信モジュール２１３のアンテナ２１３ｃと前記基板２１２（主基板２１２Ａ）との距離Ｈ１（図４参照）を、無線電波の波長λの１／２以下の寸法例えば１０ｍｍに設定に設定している。この実施形態によれば、通信モジュール２１３が外部から無線電波を受ける場合に、無線電波が当該通信モジュール２１３に届かなくなることを防止できる。すなわち、通信モジュール２１３のアンテナ２１３ｃと金属を含む基板２１２（主基板２１２Ａ）との教理が無線電波の波長λ（１２０ｍｍ）の１／２の倍数の距離、すなわち６０ｍｍ、１２０ｍｍ、１８０ｍｍなどに設定されていると、無線電波の入射波と反射波とが打ち消し合ってしまい、電波が届かなくなってしまうおそれがある。この点、本実施形態では、無線電波の波長λの１／２以下の寸法例えば１０ｍｍに設定に設定しているから、上記の数値には該当せず、無線電波が届かなくなることを防止できる。
【００７１】
なお、上記距離Ｈ１を波長λの１／４となる３０ｍｍに設定すると、電波の入射波と反射波との位相がそろって電波が倍増する可能性が高くなり、通信性能が一層高くなることが期待できる。
【００７２】
なお、上記実施形態では、カメラ装置２を、撮像部２１１と基板２１２と通信モジュール２１３とをケース２００に収容してユニット２Ａ（一体物）として構成したが、通信モジュール２１３は、ケース２００から分離した構成としても良く、この場合通信モジュール２１３を通信がしやすい適宜部位に設けることが可能となる。
【００７３】
例えば、第２実施形態として示す図２２に示すように、通信モジュール２１３と、通信モジュール２１３を除くユニット２Ａ´とからカメラ装置２を構成し、通信モジュール２１３を右扉１０３ｂの開放端部側の上部に設ける構成としても良い。この場合、アクセスポイント３が冷蔵庫１の上部（ヒンジ部分）に存在すると、通信性能が向上する。
【００７４】
その他、通信モジュール２１３は、操作パネルに設けても良い。又、通信モジュール２１３を、ガラス製の扉の前板前面からウレタン内部に設けられた収納空間部に備えても良いし、通信モジュール２１３を、ガラス製の扉の前板前面から操作可能な静電容量式の検出部を備える基板に設けても良い。その場合、撮像部２１１と対向した位置に基板を設ければ、電気接続線を短くできる。又、この基板は、上記収納空間部に挿入及び抜脱可能としても良い。つまり、収納空間部は、扉の縁部に設けられて開口に繋がっていて、基板をその開口から挿入及び抜脱可能にすると良い。このようにすると、通信モジュール２１３を扉から取り外すことができ、メンテナンスが可能となる。又、この場合、収納空間部の庫内側であれば、金属部品（補強用金属板や真空断熱パネル）を取り付けても通信を阻害することはない。
【００７５】
なお、カメラ装置を配置する扉は引き出し式の扉でも良い。又、カメラ装置を配置する扉としては、観音式の両開き式の扉ではなく、片開き式の一枚の扉でも良い。貯蔵庫としては冷蔵庫に限られず、冷蔵ケース、コンテナや、貯蔵用倉庫などでも良い。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
図面中、１は冷蔵庫（貯蔵庫）、２はカメラ装置（貯蔵庫用カメラ装置）、４は操作端末、６はサーバ、２００はケース、２０６はスライドスイッチ、２０８は電池、２１１は撮像部（撮像手段）、２１２は基板、２１３は通信モジュール（通信手段）、２１４は撮像ライト、２１５は照度センサ、２１６は設定スイッチ、２１７はモードスイッチ、２２０はカメラ側制御部、１３０、１３２は室内照明灯、１３４は通信アダプタ、１００は室内撮像システムを示す。
【図１】
2018055107.tif 000003
【図２】
2018055107.tif 000004
【図３】
2018055107.tif 000005
【図４】
2018055107.tif 000006
【図５】
2018055107.tif 000007
【図６】
2018055107.tif 000008
【図７】
2018055107.tif 000009
【図８】
2018055107.tif 000010
【図９】
2018055107.tif 000011
【図１０】
2018055107.tif 000012
【図１１】
2018055107.tif 000013
【図１２】
2018055107.tif 000014
【図１３】
2018055107.tif 000015
【図１４】
2018055107.tif 000016
【図１５】
2018055107.tif 000017
【図１６】
2018055107.tif 000018
【図１７】
2018055107.tif 000019
【図１８】
2018055107.tif 000020
【図１９】
2018055107.tif 000021
【図２０】
2018055107.tif 000022
【図２１】
2018055107.tif 000023
【図２２】
2018055107.tif 000024